【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
支持体及び該支持体上に設けられた感光層を有する電子写真感光体において、該感光層が、
下記一般式（１）で示される化合物と、
ポリオレフィン樹脂と、
第三級アミン構造及びヒドラゾン構造からなる群より選択される構造を少なくとも１つ有する電荷輸送性化合物と、
を含有し、
該電荷輸送性化合物はアルキレン鎖を有する場合、該アルキレン鎖の炭素数が４以下であることを特徴とする電子写真感光体。
【化１】
2010002698.tif 000001
（上記式（１）中、Ｒ１１は炭素数５以上２０以下のアルキル基を示す。Ｒ１２、Ｒ１３、Ｒ１４、Ｒ１５及びＲ１６は、それぞれ独立に、水素原子、アルコキシ基、水酸基、ハロゲン原子、アミノ基、置換基を有してもよいアルキル基、置換基を有してもよいアラルキル基又は置換基を有してもよいアリール基を示す。ＸはＯ、Ｃ＝Ｏ、ＣＯＯ又は単結合を示す。）
【請求項２】
前記一般式（１）で示される化合物において、Ｒ１２、Ｒ１３、Ｒ１４、Ｒ１５及びＲ１６が、それぞれ独立に、水素原子、水酸基、ハロゲン原子、アミノ基、炭素数が１以上８以下のアルキル基を示す請求項１に記載の電子写真感光体。
【請求項３】
前記電荷輸送性化合物において、前記第三級アミン構造及び前記ヒドラゾン構造に、
炭素数１以上４以下のアルキル基、炭素数１以上４以下のアルキレン基を有するアラルキル基、置換基として炭素数１以上４以下のアルキル基を有してもよいアリール基及び置換基として炭素数１以上４以下のアルコキシ基を有してもよいアリーレン基からなる群より選択される少なくとも１つを置換基として有する請求項１または２に記載の電子写真感光体。
【請求項４】
前記電荷輸送性化合物が下記一般式（２）、（３）、（４）、（６）、（７）、（８）及び（９）からなる群より選択される少なくとも１つである請求項３に記載の電子写真感光体。
【化２】
2010002698.tif 000002
（上記式（２）中、Ｒ２１及びＲ２２は炭素数１以上４以下のアルキル基、置換基として炭素数１以上４以下のアルキル基を有してもよいアリール基又は炭素数１以上４以下のアルコキシ基を有してもよいアリール基を示す。Ａｒ２１は置換基として炭素数１以上４以下のアルキル基を有してもよいアリーレン基又は置換基として炭素数１以上４以下のアルコキシ基を有してもよいアリーレン基を示す。Ｒ２３は置換基として炭素数１以上４以下のアルキル基を有してもよいアリール基、置換基として炭素数１以上４以下のアルコキシ基を有してもよいアリール基、炭素数１以上４以下のアルキレン基を有するアラルキル基又は水素原子を示す。Ａｒ２１及びＲ２３は直接又は他の有機残基を介して環を形成してもよい。）
【化３】
2010002698.tif 000003
（上記式（３）中、Ｒ３１、Ｒ３２、Ｒ３３及びＲ３４は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は下記一般式（５）で示される置換基を示す。Ａｒ３１及びＡｒ３２は置換基として炭素数１以上４以下のアルキル基を有してもよいアリーレン基を示す。）
【化４】
2010002698.tif 000004
（上記式（４）中、Ｒ４１は置換基を有してもよい炭素数１以上４以下のアルキル基、置換基を有してもよいアリール基又は下記一般式（５）で示される置換基を示す。Ａｒ４１及びＡｒ４２は置換基として炭素数１以上４以下のアルキル基を有してもよいアリール基、置換基として炭素数１以上４以下のアルコキシ基を有してもよいアリール基又は下記一般式（５）で示される置換基を示す。但し、Ａｒ４１、Ａｒ４２及びＲ４１のうち少なくとも１つは下記一般式（５）で示される置換基を１つ以上有する。）
【化５】
2010002698.tif 000005
（上記式（５）中、Ｒ５１は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は水素原子を示す。Ａｒ５１は置換基として炭素数１以上４以下のアルキル基を有してもよいアリール基又は炭素数１以上４以下のアルコキシ基を有してもよいアリール基を示す。Ａｒ５１及びＲ５２は直接又は他の有機残基を介して環を形成してもよい。ｎ１は０〜２の整数を示す。）
【化６】
2010002698.tif 000006
（上記式（６）中、Ａｒ６１及びＡｒ６２は置換基として炭素数１以上４以下のアルキル基を有してもよいアリール基又は置換基をとして炭素数１以上４以下のアルコキシ基を有してもよいアリール基を示す。Ｒ６１は置換基として炭素数１以上４以下のアルキル基を有してもよい縮合環炭化水素若しくは縮合複合環又は置換基として炭素数１以上４以下のアルコキシ基を有してもよい縮合環炭化水素若しくは縮合複合環を示す。）
【化７】
2010002698.tif 000007
（上記式（７）中、Ｒ７１、Ｒ７２、Ｒ７３及びＲ７４は炭素数１以上４以下のアルキル基、炭素数１以上４以下のアルキレン基を有するアラルキル基、置換基として炭素数１以上４以下のアルキル基を有してもよいアリール基又は置換基として炭素数１以上４以下のアルコキシ基を有してもよいアリール基を示す。Ａｒ７１は置換基として炭素数１以上４以下のアルキル基を有してもよいアリーレン基又は置換基として炭素数１以上４以下のアルコキシ基を有してもよいアリーレン基を示す。）
【化８】
2010002698.tif 000008
（上記式（８）中、Ａｒ８１、Ａｒ８２、Ａｒ８３及びＡｒ８４は置換基として炭素数１以上４以下のアルキル基を有してもよいアリール基又は置換基として炭素数１以上４以下のアルコキシ基を有してもよいアリール基を示す。）
【化９】
2010002698.tif 000009
（上記式（９）中、Ａｒ９１、Ａｒ９２、Ａｒ９３及びＡｒ９４は置換基として炭素数１以上４以下のアルキル基を有してもよいアリール基又は置換基として炭素数１以上４以下のアルコキシ基を有してもよいアリール基を示す。但し、Ａｒ９１、Ａｒ９２、Ａｒ９３及びＡｒ９４のうち少なくとも１つは下記一般式（１０）で示される置換基を１つ以上有する。）
【化１０】
2010002698.tif 000010
（上記式（１０）中、Ｒ１０１及びＲ１０２は炭素数１以上４以下のアルキル基、炭素数１以上４以下のアルキレン基を有するアラルキル基又は置換基として炭素数１以上４以下のアルキル基を有してもよいアリール基を示す。）
【請求項５】
前記電子写真感光体は、前記感光層上に保護層を有する請求項１乃至４のいずれか１項に記載の電子写真感光体。
【請求項６】
前記ポリオレフィン樹脂がポリ環状オレフィン樹脂である請求項１乃至５のいずれか１項に記載の電子写真感光体。
【請求項７】
前記ポリオレフィン樹脂のガラス転移温度（Ｔｇ）が１００℃以上１７０℃以下である請求項１乃至６のいずれか１項に記載の電子写真感光体。
【請求項８】
前記ポリ環状オレフィン樹脂は、下記一般式（１１）で示される繰り返し構造単位及び下記一般式（１２）で示される繰り返し構造単位を有する共重合体であることを特徴とする請求項１乃至７のいずれか１項に記載の電子写真感光体。
【化１１】
2010002698.tif 000011
（式（１１）中、Ｒ１１１及びＲ１１２は、それぞれ独立に、水素原子、ハロゲン原子、水酸基、置換基を有してもよいアルキル基、置換基を有してもよいアルコキシ基又は置換基を有してもよいカルボニル基を示す。Ｒ１１１及びＲ１１２は互いに結合して環を形成してもよい。）
【化１２】
2010002698.tif 000012
【請求項９】
上記一般式（１）の構造を有する化合物の含有量が、前記電荷輸送性化合物と前記ポリオレフィン樹脂との総重量に対して、５％以上３０％以下である請求項１乃至８のいずれか１項に記載の電子写真感光体。
【請求項１０】
上記一般式（１）の構造を有する化合物の含有量が、前記電荷輸送性化合物及び前記ポリオレフィン樹脂のそれぞれの重量に対して、２０％以上８０％以下であることを特徴とする請求項１乃至９のいずれか１項に記載の電子写真感光体。
【請求項１１】
上記一般式（１）の構造を有する化合物の分子量が３００以下である請求項１乃至１０のいずれか１項に記載の電子写真感光体。
【請求項１２】
上記一般式（１）の構造を有する化合物が下記一般式（１３）である請求項１乃至１１のいずれか１項に記載の電子写真感光体。
【化１３】
2010002698.tif 000013
（上記式（１３）中、Ｒ１３１は炭素数５以上１２以下のアルキル基を示す。）
【請求項１３】
請求項１乃至１２のいずれか１項に記載の電子写真感光体と、該電子写真感光体を帯電させる帯電手段、静電潜像の形成された電子写真感光体をトナーで現像する現像手段、電子写真感光体上のトナー像を転写材上に転写する転写手段及び転写工程後の電子写真感光体上に残余するトナーを回収するクリーニング手段からなる群より選択される少なくとも１つの手段とを共に一体に支持し、電子写真装置本体に着脱自在であるプロセスカートリッジ。
【請求項１４】
請求項１乃至１２のいずれか１項に記載の電子写真感光体、該電子写真感光体を帯電させる帯電手段、静電潜像の形成された電子写真感光体をトナーで現像する現像手段及び電子写真感光体上のトナー像を転写材上に転写する転写手段を備えることを特徴とする電子写真装置。